【手続補正書】
【提出日】平成20年9月12日(2008.9.12)
【手続補正１】
【補正対象書類名】明細書
【補正対象項目名】特許請求の範囲
【補正方法】変更
【補正の内容】
【特許請求の範囲】
【請求項１】
多値画像データ及び多値画像データの各画素の像域情報を入力し、それぞれに独立した多値画像圧縮手段と像域情報圧縮手段とを備える画像処理装置であって、
圧縮符号化された多値画像データ及び像域情報を格納するメモリを備え、
前記多値画像圧縮手段は、
圧縮率を決定するパラメータが変更可能な第１の多値画像圧縮手段と、
圧縮率を決定するパラメータが変更可能であって、前記第１の多値画像圧縮手段で圧縮した符号データを復号し、再圧縮する第２の多値画像圧縮手段と、
前記第１の多値画像圧縮手段によって生成される符号量を監視すると共に、当該符号データ量が所定量になったか否かを判断する画像データ符号量監視手段と、
該画像データ符号量監視手段によって前記所定量に達したと判断した場合、前記第１、第２の多値画像圧縮手段へ圧縮率を変更するパラメータを設定する画像符号パラメータ設定手段と、
該画像符号パラメータ設定手段によりパラメータを変更した場合、前記第１の多値画像圧縮手段で従前に生成された符号データを前記第２の多値画像圧縮手段によって再符号化させ、当該再符号化を済ませた符号データを、前記第１の多値画像圧縮手段のパラメータ変更後の符号データとして前記メモリに保存させると共に、
パラメータ変更後の前記第１の多値画像圧縮手段で生成された符号化データを、後続符号データとして前記メモリに保存させる画像圧縮制御手段とを備え、
前記像域情報圧縮手段は、
前記像域情報を可逆符号化する第１の像域情報圧縮手段と、
該第１の像域情報圧縮手段で符号化された像域情報を復号し、一部の種類の情報を縮退させて再度可逆符号化する第２の像域情報圧縮手段と、
前記第１の像域情報圧縮手段によって生成される符号量を監視すると共に、当該符号データ量が所定量になったか否かを判断する像域情報量監視手段と、
該像域情報量監視手段によって前記所定量に達したと判断した場合、縮退させる像域情報の種類を、前記第１、第２の像域情報圧縮手段へパラメータとして設定する像域符号パラメータ設定手段と、
該像域符号パラメータ設定手段によりパラメータを変更した場合、前記第１の像域情報圧縮手段で従前に生成された符号データを前記第２の像域情報圧縮手段によって再符号化させ、当該再符号化を済ませた符号データを、前記第１の像域情報圧縮手段のパラメータ変更後の符号データとして前記メモリに保存させると共に、
パラメータ変更後の前記第１の像域情報圧縮手段で生成された符号化データを、後続符号データとして前記メモリに保存させる像域圧縮制御手段とを備える
ことを特徴とする画像処理装置。
【請求項２】
前記画像符号パラメータ設定手段は、目標データ量を越えると判断する度に、符号化する際の量子化ステップを従前よりも大きくするパラメータを設定することを特徴とする請求項第１項に記載の画像処理装置。
【請求項３】
前記像域符号パラメータ設定手段は、目標データ量を越えると判断する度に、像域情報を構成する像域成分データの一部を固定値に置き換えてエントロピーを減少させるためのパラメータを設定することを特徴とする請求項第１項に記載の画像処理装置。
【請求項４】
前記像域情報には、注目画素が文字・線画領域であるか中間調領域にあるかを示すデータ、注目画素が有彩色であるか無彩色であるかを示すデータが含まれることを特徴とする請求項第３項に記載の画像処理装置。
【請求項５】
前記像域符号量監視手段が、符号データ量が目標データ量を越えると最初に判断した場合、前記像域符号パラメータ設定手段は中間調領域にあって無彩色であることを示す画素の像域情報を有彩色を示す像域情報に変更するためのパラメータを設定し、
前記像域符号量監視手段が符号データ量が目標データ量を越えると２回目に判断した場合、前記像域符号パラメータ設定手段は文字線画にあって無彩色であることを示す画素の像域情報を有彩色を示す像域情報に変更するためのパラメータを設定する
ことを特徴とする請求項第４に記載の画像処理装置。
【請求項６】
更に、多値画像データを入力し、当該入力した多値画像データの解析することで、各画素毎に、文字・線画領域であるか中間調領域かを示す属性成分データ、及び、有彩色／無彩色のいずれであるかを示す属性成分データを前記像域情報として出力する像域情報生成手段を備えることを特徴とする請求項第４項に記載の画像処理装置。
【請求項７】
多値画像データ及び多値画像データの各画素の像域情報を入力し、それぞれに独立した多値画像圧縮工程と像域情報圧縮工程とを備える画像処理装置の制御方法であって、
前記多値画像圧縮工程は、
圧縮率を決定するパラメータが変更可能な第１の多値画像圧縮工程と、
圧縮率を決定するパラメータが変更可能であって、前記第１の多値画像圧縮工程で圧縮した符号データを復号し、再圧縮する第２の多値画像圧縮工程と、
前記第１の多値画像圧縮工程によって生成される符号量を監視すると共に、当該符号データ量が所定量になったか否かを判断する画像データ符号量監視工程と、
該画像データ符号量監視工程によって前記所定量に達したと判断した場合、前記第１、第２の多値画像圧縮工程に圧縮率を変更するパラメータを設定する画像符号パラメータ設定工程と、
該画像符号パラメータ設定工程によりパラメータを変更した場合、前記第１の多値画像圧縮工程で従前に生成された符号データを前記第２の多値画像圧縮工程によって再符号化させ、当該再符号化を済ませた符号データを、前記第１の多値画像圧縮工程のパラメータ変更後の符号データとして所定のメモリに保存させると共に、
パラメータ変更後の前記第１の多値画像圧縮工程で生成された符号化データを、後続符号データとして前記メモリに保存させる画像圧縮制御工程とを備え、
前記像域情報圧縮工程は、
前記像域情報を可逆符号化する第１の像域情報圧縮工程と、
該第１の像域情報符号化工程で符号化された像域情報を復号し、一部の種類の情報を縮退させて再度可逆符号化する第２の像域情報圧縮工程と、
前記第１の像域情報圧縮工程によって生成される符号量を監視すると共に、当該符号データ量が所定量になったか否かを判断する像域情報量監視工程と、
該像域情報量監視工程によって前記所定量に達したと判断した場合、縮退させる像域情報の種類を、前記第１、第２の像域圧縮工程へパラメータとして設定する像域符号パラメータ設定工程と、
該像域符号パラメータ設定工程によりパラメータを変更した場合、前記第１の像域情報圧縮工程で従前に生成された符号データを前記第２の像域情報圧縮工程によって再符号化させ、当該再符号化を済ませた符号データを、前記第１の像域情報圧縮工程のパラメータ変更後の符号データとして前記メモリに保存させると共に、
パラメータ変更後の前記第１の像域情報圧縮工程で生成された符号化データを、後続符号データとして前記メモリに保存させる像域圧縮制御工程と備える
ことを特徴とする画像処理装置の制御方法。
【請求項８】
コンピュータに読込ませ実行させることで、前記コンピュータを、多値画像データ及び多値画像データの各画素の像域情報を入力し、それぞれに独立した多値画像圧縮手段と像域情報圧縮手段として機能させるコンピュータプログラムであって、
前記多値画像圧縮手段は、
圧縮率を決定するパラメータが変更可能な第１の多値画像圧縮手段と、
圧縮率を決定するパラメータが変更可能であって、前記第１の多値画像圧縮手段で圧縮した符号データを復号し、再圧縮する第２の多値画像圧縮手段と、
前記第１の多値画像圧縮手段によって生成される符号量を監視すると共に、当該符号データ量が所定量になったか否かを判断する画像データ符号量監視手段と、
該画像データ符号量監視手段によって前記所定量に達したと判断した場合、前記第１、第２の多値画像圧縮手段へ圧縮率を変更するパラメータを設定する画像符号パラメータ設定手段と、
該画像符号パラメータ設定手段によりパラメータを変更した場合、前記第１の多値画像圧縮手段で従前に生成された符号データを前記第２の多値画像圧縮手段によって再符号化させ、当該再符号化を済ませた符号データを、前記第１の多値画像圧縮手段のパラメータ変更後の符号データとして所定のメモリに保存させると共に、
パラメータ変更後の前記第１の多値画像圧縮手段で生成された符号化データを、後続符号データとして前記メモリに保存させる画像圧縮制御手段として機能させ、
前記像域情報圧縮手段は、
前記像域情報を可逆符号化する第１の像域情報圧縮手段と、
該第１の像域情報圧縮手段で符号化された像域情報を復号し、一部の種類の情報を縮退させて再度可逆符号化する第２の像域情報圧縮手段と、
前記第１の像域情報圧縮手段によって生成される符号量を監視すると共に、当該符号データ量が所定量になったか否かを判断する像域情報量監視手段と、
該像域情報量監視手段によって前記所定量に達したと判断した場合、縮退させる像域情報の種類を、前記第１、第２の像域情報圧縮手段へパラメータとして設定する像域符号パラメータ設定手段と、
該像域符号パラメータ設定手段によりパラメータを変更した場合、前記第１の像域情報圧縮手段で従前に生成された符号データを前記第２の像域情報圧縮手段によって再符号化させ、当該再符号化を済ませた符号データを、前記第１の像域情報圧縮手段のパラメータ変更後の符号データとして前記メモリに保存させると共に、
パラメータ変更後の前記第１の像域情報圧縮手段で生成された符号化データを、後続符号データとして前記メモリに保存させる像域圧縮制御手段として機能させる
ことを特徴とするコンピュータプログラム。
【請求項９】
請求項第８項に記載のコンピュータプログラムを格納したことを特徴とするコンピュータ可読記憶媒体。
【手続補正２】
【補正対象書類名】明細書
【補正対象項目名】００１１
【補正方法】変更
【補正の内容】
【００１１】
かかる課題を解決するため、例えば本発明の画像処理装置は以下の構成を備える。すなわち、
多値画像データ及び多値画像データの各画素の像域情報を入力し、それぞれに独立した多値画像圧縮手段と像域情報圧縮手段とを備える画像処理装置であって、
圧縮符号化された多値画像データ及び像域情報を格納するメモリを備え、
前記多値画像圧縮手段は、
圧縮率を決定するパラメータが変更可能な第１の多値画像圧縮手段と、
圧縮率を決定するパラメータが変更可能であって、前記第１の多値画像圧縮手段で圧縮した符号データを復号し、再圧縮する第２の多値画像圧縮手段と、
前記第１の多値画像圧縮手段によって生成される符号量を監視すると共に、当該符号データ量が所定量になったか否かを判断する画像データ符号量監視手段と、
該画像データ符号量監視手段によって前記所定量に達したと判断した場合、前記第１、第２の多値画像圧縮手段へ圧縮率を変更するパラメータを設定する画像符号パラメータ設定手段と、
該画像符号パラメータ設定手段によりパラメータを変更した場合、前記第１の多値画像圧縮手段で従前に生成された符号データを前記第２の多値画像圧縮手段によって再符号化させ、当該再符号化を済ませた符号データを、前記第１の多値画像圧縮手段のパラメータ変更後の符号データとして前記メモリに保存させると共に、
パラメータ変更後の前記第１の多値画像圧縮手段で生成された符号化データを、後続符号データとして前記メモリに保存させる画像圧縮制御手段とを備え、
前記像域情報圧縮手段は、
前記像域情報を可逆符号化する第１の像域情報圧縮手段と、
該第１の像域情報圧縮手段で符号化された像域情報を復号し、一部の種類の情報を縮退させて再度可逆符号化する第２の像域情報圧縮手段と、
前記第１の像域情報圧縮手段によって生成される符号量を監視すると共に、当該符号データ量が所定量になったか否かを判断する像域情報量監視手段と、
該像域情報量監視手段によって前記所定量に達したと判断した場合、縮退させる像域情報の種類を、前記第１、第２の像域情報圧縮手段へパラメータとして設定する像域符号パラメータ設定手段と、
該像域符号パラメータ設定手段によりパラメータを変更した場合、前記第１の像域情報圧縮手段で従前に生成された符号データを前記第２の像域情報圧縮手段によって再符号化させ、当該再符号化を済ませた符号データを、前記第１の像域情報圧縮手段のパラメータ変更後の符号データとして前記メモリに保存させると共に、
パラメータ変更後の前記第１の像域情報圧縮手段で生成された符号化データを、後続符号データとして前記メモリに保存させる像域圧縮制御手段とを備えることを特徴とする。